(57)【特許請求の範囲】
【請求項１】
緯入れされた緯糸の先端部を経糸開口内へ折り返して織布の耳部を形成するタックイン装置を備え、前記タックイン装置の入力軸及び駆動源側の中間軸にタイミングベルトを巻き掛け、前記中間軸から前記タイミングベルトを介して前記入力軸に駆動力を伝達する織機において、
前記タックイン装置は、タックイン動作を行わせる機構を内蔵したボックスを備え、前記機構に駆動力を伝える前記入力軸は前記ボックスの一面から外部に突出しており、前記タイミングベルトは前記一面に沿って配設されており、開放部を有する防塵カバーは前記一面に止着されていると共に、前記一面は前記開放部の一部を遮蔽し、
織機は、サーフェローラとプレスローラとの協働によって織布を引き取る織布引き取り手段、及び前記サーフェローラとプレスローラとの織布挟持部の上方に配置されたフロントカバーを備え、前記中間軸は前記フロントカバーの直下に配置されており、
前記入力軸側のタイミングプーリ及び前記入力軸側のタイミングプーリと前記中間軸側のタイミングプーリとの中間に配設されるテンションローラ上の前記タイミングベルトを前記防塵カバー及び前記ボックスの一面で包囲するとともに、前記中間軸側のタイミングプーリ及びそのタイミングプーリ上の前記タイミングベルトを前記開放部の前記中間軸側から露出させた織機のタックイン装置における風綿付着防止装置。
【請求項２】
前記防塵カバーは透視可能な材質で形成した請求項１に記載の織機のタックイン装置における風綿付着防止装置。
【発明の詳細な説明】
【０００１】
【発明の属する技術分野】
本発明は、緯入れされた緯糸の先端部を経糸開口内へ折り返して織布の耳部を形成するタックイン装置における風綿付着防止装置に関するものである。
【０００２】
【従来の技術】
実開昭６２−３５８７号公報に開示されるタックイン装置では、緯入れされた緯糸の先端部がニードルによって経糸開口内へ引き入れられるようになっている。緯入れされた緯糸の先端部を経糸開口内へ折り返して織布の耳部を形成するためのニードルのタックイン動作は、タックイン装置内の機構の予め設定されたタイミングの動作に基づいて行われる。タックイン装置の従動軸に止着されたタイミングプーリと、駆動軸に止着されたタイミングプーリとの間にはタイミングベルトが張設されている。前記機構は、前記タイミングベルトを介して駆動力を得る。
【０００３】
【発明が解決しようとする課題】
ニードルのタックイン動作は、織布の織前よりも後方、即ち筬の揺動領域内で筬と干渉しないタイミングで行われる。従って、タックイン動作以外のときにはニードルは筬の揺動領域から外れた位置に配置される。即ち、タックイン動作以外のときにはニードルは織前よりも織布側に配置される。ニードルのこのような配置位置の切り換えは、タックイン装置内の前記機構の動作に基づいて行われる。そのため、タイミングベルトとタイミングプーリとの噛合がずれると、前記機構、従ってニードルの動作タイミングがずれる。このような動作タイミングのずれは、ニードルの配置位置の切り換えタイミングのずれも含むことになり、ニードルのタックイン動作が筬の揺動領域内で筬と干渉するタイミングで行われてしまう場合も生じる。これはタックイン装置の破損をもたらす。タイミングベルトとタイミングプーリとの噛合のずれは、タイミングベルトあるいはタイミングプーリへの風綿付着によって発生する。タックイン装置の設置位置は、織布の織前に近い位置であり、筬によって叩かれる織前付近では風綿の発生が特に多い。
【０００４】
本発明は、タイミングベルト及びその巻き掛け対象への風綿付着を抑制することを目的とする。
【０００５】
【課題を解決するための手段】
本発明は、緯入れされた緯糸の先端部を経糸開口内へ折り返して織布の耳部を形成するタックイン装置を備え、前記タックイン装置の入力軸及び駆動源側の中間軸にタイミングベルトを巻き掛け、前記中間軸から前記タイミングベルトを介して前記入力軸に駆動力を伝達する織機を対象とした。
【０００６】
また、請求項１の発明では、前記タックイン装置は、タックイン動作を行わせる機構を内蔵したボックスを備えたものとし、前記機構に駆動力を伝える前記入力軸を前記ボックスの一面から外部に突出させ、前記タイミングベルトは前記一面に沿って配設し、開放部を有する防塵カバーを前記一面に止着して前記開放部の一部を前記一面で遮蔽した。
【０００７】
ボックスの一面を風綿付着避けとして利用した構成は便利である。
さらに、請求項１の発明では、織機は、サーフェローラとプレスローラとの協働によって織布を引き取る織布引き取り手段、及び前記サーフェローラとプレスローラとの織布挟持部の上方に配置されたフロントカバーを備えたものとし、前記中間軸は前記フロントカバーの直下に配置されており、前記入力軸側のタイミングプーリ及び前記入力軸側のタイミングプーリと前記中間軸側のタイミングプーリとの中間に配設されるテンションローラ上の前記タイミングベルトを前記防塵カバー及び前記ボックスの一面で包囲するとともに、前記中間軸側のタイミングプーリ及びそのタイミングプーリ上の前記タイミングベルトを前記開放部の前記中間軸側から露出させた。
【０００８】
フロントカバーは風綿付着避けとして利用される。
請求項２の発明では、請求項１において、前記防塵カバーは透視可能な材質で形成した。
【０００９】
ベルト切れが防塵カバー外から確認できる。
【００１０】
【発明の実施の形態】
以下、本発明を具体化した第１の実施の形態を図１〜図５に基づいて説明する。
【００１１】
図１に示すように、織布Ｗはエキスパンションバー１１、サーフェスローラ１２及びプレスローラ１３を経由して図示しないクロスローラに巻き取られる。織布Ｗはサーフェスローラ１２とプレスローラ１３との間に挟持され、サーフェスローラ１２及びプレスローラ１３は協働して織布Ｗを引き取る。織布引き取り手段を構成するサーフェローラ１２とプレスローラ１３との織布挟持部付近の上方にはフロントカバー１４が配設されている。図３に示すように、フロントカバー１４は、一方のサイドフレーム１５から他方のサイドフレーム１６にわたる長さである。
【００１２】
図２に示すように、サイドフレーム１５には駆動軸１７が貫設されており、サイドフレーム１５から外側方へ突出する駆動軸１７の突出端部にはタイミングプーリ１８が止着されている。駆動軸１７は織機駆動モータ（図示略）から駆動力を得ている。図３に示すように、サイドフレーム１５，１６には中間軸１９が貫設されている。中間軸１９のサイドフレーム１５側の端部にはタイミングプーリ２０が止着されている。両タイミングプーリ１８，２０には一対のタイミングベルト２１Ａ，２１Ｂが巻き掛けられている。両タイミングプーリ１８，２０の間の中間にはテンションローラ２２が配設されている。テンションローラ２２はタイミングベルト２１Ａ，２１Ｂに適度な張力を付与するようにタイミングベルト２１Ａ，２１Ｂを案内している。
【００１３】
タイミングベルト２１Ａ，２１Ｂの走行経路の近傍には静電容量型の近接センサ４９，５０が配設されている。近接センサ４９はタイミングベルト２１Ａのベルト切れを検出し、近接センサ５０はタイミングベルト２１Ｂのベルト切れを検出する。タイミングベルト２１Ａ又はタイミングベルト２１Ｂのベルト切れが検出された場合には、織機の運転が直ちに停止される。
【００１４】
タイミングプーリ１８，２０、タイミングベルト２１Ａ，２１Ｂ，テンションローラ２２及び近接センサ４９，５０は、透視不能な金属製のカバー５１で覆われている。
【００１５】
サイドフレーム１５，１６間における中間軸１９にはタイミングプーリ４３，４４が止着されている。タイミングプーリ４３はサイドフレーム１５の内側面の近くに配設されており、タイミングプーリ４４はサイドフレーム１６の内側面の近くに配設されている。
【００１６】
両サイドフレーム１５，１６間に延在する図示しないブレストビームの上端にはタックイン装置２３，２４が設置されている。図５はサイドフレーム１５側のタックイン装置２３を示す。サイドフレーム１６側のタックイン装置２４はタックイン装置２３と左右対称の構成となっている。タックイン装置２３はサイドフレーム１５側の織布Ｗの端部に耳を形成し、タックイン装置２４はサイドフレーム１６側の織布Ｗの端部に耳を形成する。
【００１７】
２５はカム機構を内蔵するカムボックスであり、カムボックス２５には軸２６及び中空軸２７が織布Ｗの移動方向へ往復動可能に延出支持されている。中空軸２７にはニードル軸２８が挿通されている。ニードル軸２８は、カムボックス２５内のカム機構によって往復回動可能である。中空軸２７から延出するニードル軸２８の先端にはニードル２９が取付られており、ニードル軸２８の回動動作によってニードル２９の先端部が上側の経糸Ｔを掻き分けて経糸開口内に進入する。
【００１８】
軸２６及び中空軸２７の先端部間には取り付け基体３０が架設固定されており、取り付け基体３０の垂下部３０１には保持ブロック３１が締付固定されている。保持ブロック３１の下部前面には一対のノズル台３２，３３が上下に並んで突設されており、上側ノズル台３２の下面には糸通しノズル３２１が設けられているとともに、下側ノズル台３３には導入孔３３１が糸通しノズル３２１と対向して貫設されている。又、下側ノズル台３３の上面には糸把持ノズル３３２が設けられているとともに、上側ノズル台３２には導入孔３２２が糸把持ノズル３３２と対向して貫設されている。
【００１９】
保持ブロック３１の下部側面には一対の刃体３４，３５が回動可能に支持されており、両刃体３４，３５の後部に突設されたガイドピン３４１，３５１がカムボックス２５下面に垂下支持されたガイド体３７のガイド溝３７１，３７２に嵌入されている。両刃体３４，３５は軸２６及び中空軸２７と一体的に前後動し、ガイド溝３７１，３７２とガイドピン３４１，３５１とのガイド作用によって両刃体３４，３５が開閉切断動作を行う。緯入れされた緯糸（図示略）はこの開閉切断動作によって切断される。
【００２０】
カムボックス２５の外側面には機械式ロータリバルブ機構３８が取り付けられている。ロータリバルブ機構３８はカムボックス２５内の駆動機構によって駆動されるようになっている。糸通しノズル３２１及び糸把持ノズル３３２はチューブ３９，４０を介してロータリバルブ機構３８に接続されており、ロータリバルブ機構３８の駆動によって糸通しノズル３２１及び糸把持ノズル３３２におけるエア噴射が制御される。
【００２１】
刃体３４，３５によって切断された緯糸の先端部は、糸把持ノズル３３２の噴射作用によって導入孔３２２へ吹き入れられる。その後、ニードル２９の先端部が経糸開口内に進入してからノズル台３２，３３間に入り込み、ニードル２９の糸通し孔２９１が糸通しノズル３２１と導入孔３３１との間に配置される。次いで、糸通しノズル３２１が噴射し、緯糸先端部が糸通し孔２９１へ通される。ニードル２９の回動退避によって緯糸先端部が経糸開口内へ折り返される。
【００２２】
図４に示すように、カムボックス２５の内側面２５１には入力軸４１が突出しており、入力軸４１の突出端部にはタイミングプーリ４２が止着されている。タイミングプーリ４２及びタイミングプーリ４３には一対のタイミングベルト４５Ａ，４５Ｂが巻き掛けられている。両タイミングプーリ４２，４３の間の中間にはテンションローラ４６が配設されている。テンションローラ４６はタイミングベルト４５Ａ，４５Ｂに適度な張力を付与するようにタイミングベルト４５Ａ，４５Ｂを案内している。タイミングベルト４５Ａ，４５Ｂは内側面２５１に沿って配設されている。
【００２３】
カムボックス２５の内側面２５１には支柱２５２，２５３が立設されており、支柱２５２，２５３には透視可能な合成樹脂からなる防塵カバー４７Ａがねじ止めされている。一体形成された防塵カバー４７Ａは、支柱２５２，２５３に螺着されたねじ４８の締め付けによりカムボックス２５の内側面２５１に止着されている。防塵カバー４７Ａには開放部４７１が形成されており、開放部４７１の一部は内側面２５１によって遮蔽されている。防塵カバー４７Ａは、タイミングプーリ４２、テンションローラ４６付近のタイミングベルト４５Ａ，４５Ｂを包囲している。図１に示すように、中間軸１９及びタイミングプーリ４３は、フロントカバー１４の直下にある。
【００２４】
タックイン装置２３と左右対称な構成のサイドフレーム１６側のタックイン装置２４においても、防塵カバー４７Ａと左右対称な防塵カバー４７Ｂが配設されている。防塵カバー４７Ｂも透視可能な材質で一体形成されている。
【００２５】
第１の実施の形態では以下の効果が得られる。
（１-1）防塵カバー４７Ａ，４７Ｂは、タイミングベルト４５Ａ，４５Ｂの一部を包囲している。タイミングプーリ４２、テンションローラ４６及びタイミングベルト４５Ａ，４５Ｂの一部は、防塵カバー４７Ａ，４７Ｂ及びカムボックス２５の内側面２５１によって囲まれている。タイミングベルト４５Ａ，４５Ｂを防塵カバー４７Ａ，４７Ｂで包囲した構成は、タイミングベルト４５Ａ，４５Ｂ及びその巻き掛け対象であるタイミングプーリ４２への風綿付着を抑制する。
【００２６】
（１-2）防塵カバー４７Ａ，４７Ｂを止着したカムボックス２５の内側面２５１は、防塵カバー４７Ａ，４７Ｂの開放部４７１の一部を遮蔽する。防塵カバー４７Ａ，４７Ｂの開放部４７１の一部を遮蔽している内側面２５１は、タイミングベルト４５Ａ，４５Ｂ及びタイミングプーリ４２への風綿付着防止に寄与する。内側面２５１のように防塵カバーでタイミングベルト４５Ａ，４５Ｂを囲おうとすると、防塵カバーは２体製とせざるを得ず、しかも取り付け性が極めて悪くなる。カムボックス２５の一面である内側面２５１を風綿付着避けとして利用した構成は、防塵カバー４７Ａ，４７Ｂの形状の簡素化及び防塵カバー４７Ａ，４７Ｂの取り付け容易性をもたらす。
【００２７】
（１-3）タイミングベルト４５Ａ，４５Ｂの巻き掛け対象となるタイミングプーリ４３，４４を支持する中間軸１９は、サイドフレーム１５，１６間に架設された軸である。又、中間軸１９はカムボックス２５から離れている。そのため、防塵カバーでタイミングプーリ４３，４４をも包囲しようとすると、防塵カバーの形状が複雑となって製造が面倒になる。タイミングプーリ４３，４４は防塵カバー４７Ａ，４７Ｂによって包囲されていないが、フロントカバー１４が中間軸１９の上方及び前方を囲っている。従って、フロントカバー１４は、防塵カバー４７Ａ，４７Ｂによって包囲されていないタイミングプーリ４３，４４及びその付近のタイミングベルト４５Ａ，４５Ｂの部位への風綿付着防止に寄与する。
【００２８】
（１-4）タイミングベルト４５Ａ，４５Ｂが切れた場合にも、防塵カバー４７Ａ，４７Ｂの外部からベルト切れを発見することができる。
（１-5）ベルト切れ等の発生によって防塵カバー４７Ａ，４７Ｂを外す必要が生じた場合、ねじ４８を外せば防塵カバー４７Ａ，４７Ｂはカムボックス２５から容易に取り外せる。
【００２９】
（１-6）風綿付着避けとなっている透視不能なカバー５１内のタイミングベルト２１Ａ，２１Ｂが切れた場合、近接センサ４９，５０がタイミングベルト２１Ａ，２１Ｂの切れを直ちに検出する。大型の金属製のカバー５１には図示しないが他の部材を取り付ける構成が適宜採用される。従って、カバー５１の材質としては強度的に優れた金属が好ましい。このような透視不能な金属製のカバー５１内のベルト切れを発見するには近接センサ４９，５０を用いることが必要である。一方、小型の防塵カバー４７Ａ，４７Ｂに他の部材を取り付ける必要性はなく、防塵カバー４７Ａ，４７Ｂの材質としては強度的に優れたものを採用する必要がない。従って、防塵カバー４７Ａ，４７Ｂの材質としては形成容易な合成樹脂が良い。そこで、防塵カバー４７Ａ，４７Ｂの材質として透視可能な合成樹脂を採用すれば、センサを用いなくともタイミングベルト４５Ａ，４５Ｂのベルト切れを発見することができる。このようなセンサの採否は、センサ個数を減らしてコスト低減に寄与する。
【００３０】
（１-7）タイミングベルト４５Ａ，４５Ｂの複線採用は、一方のベルトが切れた場合にもタックイン装置の動作タイミングのずれを生じないようにする。同様に、タイミングベルト２１Ａ，２１Ｂの複線採用は、一方のベルトが切れた場合にもタックイン装置の動作タイミングのずれを生じないようにする。
【００３１】
（１-8）防塵カバー４７Ａ，４７Ｂは透視可能な合成樹脂で一体形成されているため、あらゆる方向から内部を透視することができる。そのため、タイミングベルト４５Ａ，４５Ｂのベルト切れのみならず、タイミングプーリ４２とタイミングベルト４５Ａ，４５Ｂとの噛合状態やテンションローラ４６によるタイミングベルト４５Ａ，４５Ｂへの張力付与状態等を目視により容易に確認することができる。
【００３２】
次に、図６の第２の実施の形態を説明する。第１の実施の形態と同じ構成部には同じ符号が付してある。
中間軸１９に止着されたタイミングプーリ４３は、サイドフレーム１５に止着された補助カバー５２によって包囲されている。補助カバー５２はサイドフレーム１５に止着されている。防塵カバー４７Ａ及び補助カバー５２は互いに接合してタイミングプーリ４２、タイミングプーリ４３及びタイミングベルト４５Ａを包囲する。補助カバー５２の採用は、タイミングプーリ４２、タイミングプーリ４３及びタイミングベルト４５Ａへの風綿の付着を第１の実施の形態の場合よりも一層効果的に抑制する。
【００３３】
本発明では以下のような実施の形態も可能である。
（１）カバー５１を透視可能な材質で形成し、近接センサ４９，５０を用いないようにすること。
（２）防塵カバー４７Ａ，４７Ｂの合成樹脂の弾性変形を利用して防塵カバー４７Ａ，４７Ｂをワンタッチで着脱できるようにすること。
【００３４】
【発明の効果】
以上詳述したように本発明では、タックイン装置の入力軸及び駆動源側の駆動軸に巻き掛けたタイミングベルトを防塵カバーで包囲したので、タイミングベルト及びその巻き掛け対象への風綿付着を抑制し得るという優れた効果を奏する。
【図面の簡単な説明】
【図１】第１の実施の形態を示す要部内側面図。
【図２】要部外側面図。
【図３】一部省略平面図。
【図４】要部分解斜視図。
【図５】タックイン装置の斜視図。
【図６】第２の実施の形態を示す要部分解斜視図。
【符号の説明】
１４…フロントカバー。１９…中間軸。２３，２４…タックイン装置。２５…カムボックス。２５１…ボックスの一面となる内側面。４１…入力軸。４５Ａ，４５Ｂ…タイミングベルト。４７Ａ，４７Ｂ…防塵カバー。４７１…開放部。
【図１】
0004006890.tif 000002
【図２】
0004006890.tif 000003
【図３】
0004006890.tif 000004
【図４】
0004006890.tif 000005
【図５】
0004006890.tif 000006
【図６】
0004006890.tif 000007